(57)【要約】      （修正有）【課題】迅速に避難可能であり、津波から人を保護できるとともに、平時において、新たな態様で利用できる津波シェルターを提供する。【解決手段】あずま屋式津波シェルター１は、内部空間に人が収容され、津波から当該人を保護し、下部１１が地盤１００に埋設され、上部１２が地盤１００から垂直に延びる支柱１０と、下方が開放され、内部空間を形成し、上下に移動可能に、支柱１０と係合する隔離壁２０と、を備え、隔離壁２０は、水平断面形状が環状に形成され、支柱１０に沿って下方に移動し最下部に配置されたときに、下端が地１００盤に接する。【選択図】図２
2014009466.tif 000002
【特許請求の範囲】
【請求項１】
内部空間に人が収容され、津波から当該人を保護するあずま屋式津波シェルターであって、
下部が地盤に埋設され、上部が地盤から垂直に延びる支柱と、
下方が開放され、前記内部空間を形成し、上下に移動可能に、前記支柱と係合する隔離壁と、を備え、
前記隔離壁は、水平断面形状が環状に形成され、前記支柱に沿って下方に移動し最下部に配置されたときに、下端が地盤に接するあずま屋式津波シェルター。
【請求項２】
地盤面に敷設されたステージを、更に、備え、
前記ステージの側縁の形状は、前記隔離壁の下端における内側側面の形状と、略同一形状で形成され、
隔離壁は、最下部に配置されたときに、下端の内側側面が前記ステージの側縁と係合する請求項１に記載のあずま屋式津波シェルター。
【請求項３】
前記隔離壁の内部空間を上下に仕切る床板を、更に、備え、
前記床板には、人が挿通可能な開口部が形成されている請求項１又は２に記載のあずま屋式津波シェルター。
【請求項４】
隔離壁の内側側面近傍において、隔離壁の内側側面に沿って形成され、地盤側から上方に立設し、その高さ寸法が、前記隔離壁の移動可能距離より長く、前記隔離壁の高さより短い寸法で形成された内壁を、更に、備え、
前記内壁には、人が出入り可能な開口が設けられ、前記開口に開閉可能な扉が設けられている請求項１又は２に記載のあずま屋式津波シェルター。
【発明の詳細な説明】
【技術分野】
【０００１】
本発明は、あずま屋式津波シェルターに関し、詳細には内部空間に人が収容され、津波から当該人を保護するあずま屋式津波シェルターに関する。
【背景技術】
【０００２】
近年、大地震により、沿岸部では津波により甚大な被害が生じている。津波は、地震発生後、僅かな時間で沿岸部に到達する場合もあり、この場合、安全な高台への避難が間に合わないことが想定される。
【０００３】
そこで、地上に固定され一定の空間を取り囲む気密壁によって構成され、上記気密壁上に、人が上記気密壁により囲まれた空間内に出入り可能な開口部が設けられてなる津波シェルターにおいて、上記空間内に、津波によって内部に浸水しても空気が保たれる空気室が設けられてなることを特徴とする津波シェルターが提案されている（例えば、特許文献１参照）。
特許文献１の津波シェルターによれば、例えば、自宅近くに津波シェルターを設け、大地震が発生したら早急に津波シェルターの空間内に入り、津波が引くまでの時間の呼吸に必要な空気を確実に確保することができる。
【先行技術文献】
【特許文献】
【０００４】
【特許文献１】特開平１０−１５９３８８号公報
【発明の概要】
【発明が解決しようとする課題】
【０００５】
津波がくるおそれのある沿岸部は、津波から人を保護する津波シェルターは必ず必要である。
しかしながら、津波の頻度が数年、数十年又は数百年に一度の地域もある。このような地域では、津波シェルターは、数年、数十年又は数百年に一度しか使わないこととなる。
【０００６】
本発明は、迅速に避難可能であり、津波から人を保護できるとともに、平時において、新たな態様で利用できる津波シェルターを提供することを目的とする。
【課題を解決するための手段】
【０００７】
（１）  内部空間に人が収容され、津波から当該人を保護するあずま屋式津波シェルターであって、下部が地盤に埋設され、上部が地盤から垂直に延びる支柱と、下方が開放され、前記内部空間を形成し、上下に移動可能に、前記支柱と係合する隔離壁と、を備え、前記隔離壁は、水平断面形状が環状に形成され、前記支柱に沿って下方に移動し最下部に配置されたときに、下端が地盤に接するあずま屋式津波シェルター。
【０００８】
（１）の発明によれば、内部空間に人が収容され、津波から当該人を保護するあずま屋式津波シェルターにおいて、
支柱は、下部が地盤に埋設され、上部が地盤から垂直に延び、
隔離壁は、下方が開放され、内部空間を形成し、上下に移動可能に、支柱と係合する。
そして、隔離壁は、水平断面形状が環状に形成され、支柱に沿って下方に移動し最下部に配置されたときに、下端が地盤に接する。
【０００９】
これにより、津波が襲来したときには、人は隔離壁の内部空間に避難し、隔離壁を下方に移動し最下部に配置させ地盤に接地させることで、支柱によって隔離壁が地盤に固定され、海水が隔離壁の内部に大量に流入することを防ぎ、津波を凌ぐことができる。よって、迅速に避難可能であり、津波から人を保護できる。
また、隔離壁を水平断面形状が環状に形成したので、津波により押し寄せた海水の抵抗をスムースに流すことができるので、隔離壁が海水から受ける力を軽減できる。
【００１０】
更に、平時においては、隔離壁を上方に移動させて、地盤から離れた位置に配置することで、隔離壁を日光や雨を遮る屋根として利用できる。よって、津波シェルターを東屋やテントに準ずる物として利用できるので、例えば、隔離壁の下の空間を休息所や、露店として利用できる。
したがって、迅速に避難可能であり、津波から人を保護できるとともに、平時において、新たな態様で利用できる津波シェルターを提供できる。
【００１１】
（２）  地盤面に敷設されたステージを、更に、備え、前記ステージの側縁の形状は、前記隔離壁の下端における内側側面の形状と、略同一形状で形成され、隔離壁は、最下部に配置されたときに、下端の内側側面が前記ステージの側縁と係合する（１）に記載のあずま屋式津波シェルター。
【００１２】
（２）の発明によれば、隔離壁下端の内側側面がステージの側縁と係合することで、津波が襲来したときに、隔離壁下端から水が流入するのを、より効果的に抑えることができる。
【００１３】
（３）  前記隔離壁の内部空間を上下に仕切る床板を、更に、備え、前記床板には、人が挿通可能な開口部が形成されている（１）又は（２）に記載のあずま屋式津波シェルター。
【００１４】
（３）の発明によれば、あずま屋式津波シェルターの内部に避難した人は、開口部から床板の上に上がることで、仮に、隔離壁の下端から水が侵入しても、濡れることがない。また、床板で隔離壁の内部空間を上下に仕切ることで、仮に、内部空間の下部に水が流入しても、上部の空気が隔離壁の外に流出するのを防止できる。
【００１５】
（４）  隔離壁の内側側面近傍において、隔離壁の内側側面に沿って形成され、地盤側から上方に立設し、その高さ寸法が、前記隔離壁の移動可能距離より長く、前記隔離壁の高さより短い寸法で形成された内壁を、更に、備え、
前記内壁には、人が出入り可能な開口が設けられ、前記開口に開閉可能な扉が設けられている（１）又は（２）に記載のあずま屋式津波シェルター。
【００１６】
（４）の発明によれば、隔離壁を上方に配置した状態でも、内壁に囲まれ、出入り可能な空間を形成できるので、平時において、例えば、商品や貴重品が保管された店舗としてあずま屋式津波シェルターを利用できる。また、例えば、あずま屋式津波シェルターの内部に所有者がいない場合には、扉に鍵をかけることで、第三者の侵入を防止できるので、倉庫や金庫としてもあずま屋式津波シェルターを利用できる。
【発明の効果】
【００１７】
本発明によれば、迅速に避難可能であり、津波から人を保護できるとともに、平時において、新たな態様で利用できる津波シェルターを提供できる。
【図面の簡単な説明】
【００１８】
【図１】本発明の第１実施形態に係るあずま屋式津波シェルターの斜視図である。
【図２】前記第１実施形態にあずま屋式津波シェルターにおいて、隔離壁が上方に配置された状態の断面図である。
【図３】前記第１実施形態に係るあずま屋式津波シェルターにおいて、隔離壁が最下部に配置された状態の断面図である。
【図４】本発明の第２実施形態に係るあずま屋式津波シェルターの斜視図である。
【図５】前記第２実施形態に係るあずま屋式津波シェルターにおいて、隔離壁が上方に配置された状態の断面図である。
【図６】前記第２実施形態にあずま屋式津波シェルターにおいて、隔離壁が最下部に配置された状態の断面図である。
【図７】前記第１実施形態の応用例に係るあずま屋式津波シェルターにおいて、隔離壁が最下部に配置された状態の断面図である。
【発明を実施するための形態】
【００１９】
以下、本発明の実施形態について説明する。以下、実施形態の説明において、同一構成には、同一の符号を付し、その説明を省略又は簡略化する。
本発明の第１実施形態に係るあずま屋式津波シェルター１の構成について説明する。
図１は、本発明の第１実施形態に係るあずま屋式津波シェルター１の斜視図である。
あずま屋式津波シェルター１は、内部空間に人が収容され、津波から当該人を保護する。
あずま屋式津波シェルター１は、地盤１００から垂直方向上方に延びる支柱１０と、支柱１０に支持される隔離壁２０と、地盤面に敷設されたステージ３０と、を備える。
【００２０】
図２は、前記第１実施形態にあずま屋式津波シェルター１において、隔離壁２０が上方に配置された状態の断面図である。
支柱１０は、地盤に埋設される下部１１と、下部１１の上端にジョイント１３を介して接続され垂直に延びる上部１２と、を備える。
【００２１】
下部１１は、中心で下方に延びる芯１１１と、芯１１１の外周において、水平方向に突出し、下方に向かって螺旋形状に形成された刃１１２と、を備える。これにより、下部１１は、地盤１００に埋設されるときは、回転圧入されることで、刃１１２が土を切りながら下方に進み、埋設された後は刃１１２が土に食い込み、支柱１０が上方に引き抜かれる力がかかった場合の抵抗となる。
なお、下部１１は、本実施形態の態様に限らず、例えば、予め掘削された穴に挿入されるコンクリート杭や鋼管杭を用いてもよい。
【００２２】
上部１２は、筒状体で形成され、内壁にネジ山が形成されている。
ジョイント１３は、下部材が下部１１の先端に固定され、上部材は円柱状体に形成され外周に上部１２のネジ山と螺合するネジ山が形成されている。ジョイント１３の下部材と下部１１の先端とは、溶接やボルト等によって固定されている。
なお、下部１１と上部１２とは、最終的に一体になっていればよく、例えば、まず、下部１１を地盤１００に埋設し、その後、上部１２を垂直に配置した状態で、下部１１の上端に上部１２の下端に直接溶接やボルト等によって固定してもよい。
【００２３】
また、上部１２の先端には、隔離壁２０が支柱１０から外れるのを防止するストッパ１４が設けられている。ストッパ１４は、ドーナツ形状に形成され、中央の孔に、後述する隔離壁２０の中心部２１が挿通され、上部１２の先端に、接溶接やボルト等によって固定されている。
【００２４】
隔離壁２０は、支柱１０の上部１２のネジ山と螺合する中心部２１と、中心部２１の先端近傍に、中心が固定されたカバー２２と、カバー２２の内部に設けられた床板２３と、を備える。
【００２５】
中心部２１は、隔離壁２０の中心に配置され、ボルト形状に形成され、ボルト形状の首部外周に上部１２のネジ山と螺合するネジ山が形成されている。
【００２６】
カバー２２は、中心部２１の頭部に固定され、水平断面形状が環状に形成されている。具体的には、本実施形態において、カバー２２は、下方が開放され内部が空洞の半球形状に形成されているが、これに限らず、下方が開放され内部が空洞の円柱状体、円錐体、又は、円錐体の上部が切断され、垂直断面八の字形状に蓋が形成された形状等（例えば、釣り鐘型）とすることができる。また、カバー２２は、大きさ、必要な強度、軽量化等の設計条件に応じて、所定の防水性能と強度を有する繊維強化プラスチックや鋼板等の任意の材料で形成することができる。なお、カバー２２は、骨組を介して中心部２１に固定してもよい。
【００２７】
床板２３は、カバー２２の水平断面の内側側面によって囲まれる形状と略同一形状に形成されている。即ち、床板２３は、隔離壁２０の内部空間を上下に仕切る。なお、床板２３は、骨組を介して中心部２１に固定してもよい。
【００２８】
また、床板２３には、人２００が挿通可能な開口部２３１が形成されている。なお、本実施形態において、床板２３に開口部２３１を１つ形成しているが、１つに限らず、複数箇所設けることができる。
【００２９】
上記の構成により、隔離壁２０は、中心部２１に固定されたカバー２２や床板２３を所定方向に回転させることで、支柱１０に沿って上下に移動させることができる。
なお、本実施形態において、隔離壁２０は、支柱１０と螺合させることで、上下に移動させているが、これに限らず、例えば、隔離壁２０を所定の高さにおいて、支柱１０にストッパによって固定しておき、津波が襲来し隔離壁２０の内部に人２００が避難したら、このストッパを外し、重力により隔離壁２０を落下させてから、再度、ストッパにより隔離壁２０を支柱１０に固定してもよい。また、支柱１０を中心として隔離壁２０を回転させる動力機構を設けてもよい。また、例えば、ネジ山等を設けず、油圧ジャッキ等により、隔離壁２０を支柱１０に沿って上下に移動させてもよい。
【００３０】
ステージ３０は、側縁の形状が、隔離壁２０のカバー２２の下端における内側側面の形状と、略同一形状で形成されている。ステージ３０は、隔離壁２０が最下部に配置されたときに、カバー２２の下端の内側側面が側縁と係合する。また、ステージ３０は、支柱１０が設けられた状態で、コンクリートが打設されて形成される。これにより、ステージ３０は、支柱１０と一体的に形成され、あずま屋式津波シェルター１が水中において浮き上がるのを防止する錘として機能する。
【００３１】
次に、本発明の第１実施形態に係るあずま屋式津波シェルター１の動作について説明する。
図３は、前記第１実施形態に係るあずま屋式津波シェルター１において、隔離壁２０が最下部に配置された状態の断面図である。
あずま屋式津波シェルター１は、平時においては、図２に示すとおり、隔離壁２０が上方に配置されている。
そして、津波が襲来するおそれがあるときに、人２００は、隔離壁２０の下方に入り、例えば、隔離壁２０に取り付けられたロープやチェーン等を引っ張り、隔離壁２０を回転させて下方に移動させる。そして、人２００は、自分の頭頂近辺まで隔離壁２０が下がってきたら、開口部２３１の下方に入り、開口部２３１の縁を掴み隔離壁２０を回転させて、最下部に配置して、図３に示すように、床板２３に上がる。なお、開口部２３１を複数箇所設けることで、複数人がそれぞれ複数の開口部２３１の縁を掴み隔離壁２０を回転させることで、隔離壁２０を回転させる力を複数人で負担できるので、各人の負担を軽減できる。
【００３２】
次に、本発明の第２実施形態に係るあずま屋式津波シェルター１Ａについて説明する。
第２実施形態に係るあずま屋式津波シェルター１Ａは、支柱の形態、隔離壁の形状、及び、地盤側から上方に立設する内壁を備える点が、第１実施形態に係るあずま屋式津波シェルター１と異なる。
【００３３】
図４は、本発明の第２実施形態に係るあずま屋式津波シェルター１Ａの斜視図である。
あずま屋式津波シェルター１Ａは、支柱１０Ａと、支柱１０Ａに支持される隔離壁４０と、地盤面に敷設されたステージ３０と、ステージ３０の縁から上方に立設する内壁５０と、を備える。
【００３４】
図５は、前記第２実施形態に係るあずま屋式津波シェルター１Ａにおいて、隔離壁４０が上方に配置された状態の断面図である。
【００３５】
支柱１０Ａは、地盤に埋設される下部１１と、下部１１の上端から垂直に延びる上部１２Ａと、を備える。
上部１２Ａは、下部１１と一体的に、円柱状体に形成され、外周にネジ山が形成されている。
なお、下部１１と上部１２Ａとは、最終的に一体になっていればよく、例えば、まず、下部１１を地盤１００に埋設し、その後、上部１２を垂直に配置した状態で、下部１１の上端に上部１２の下端を溶接やボルト等によって固定してもよい。
【００３６】
隔離壁４０は、支柱１０Ａの上部１２Ａのネジ山と螺合する中心部４１と、中心部４１の先端近傍に固定されたカバー４２と、を備える。
【００３７】
中心部４１は、隔離壁４０の中心に配置され、筒状体で形成され、内壁に上部１２Ａのネジ山と螺合するネジ山が形成されている本体４１１と、本体４１１の上端に螺合して、カバー４２の中央部分を挟持して固定する蓋部４１２と、を備える。
【００３８】
カバー４２は、上面視円形状に形成された天井部４２１と、天井部４２１の側縁から下方に延びて円筒形状に形成された側壁部４２２と、を備える。カバー４２の材質は、上記カバー２２と同様である。
【００３９】
内壁５０は、隔離壁４０におけるカバー４２の側壁部４２２の内側側面近傍において、側壁部４２２の内側側面に沿って形成され、その高さ寸法が、隔離壁４０の移動可能距離より長く、隔離壁４０の高さより短い寸法で形成されている。
内壁５０は、一般的な建築物の外壁と同様の構造で設けられる。例えば、内壁５０は、鉄骨や木で組まれた軸組に、軽量コンクリートパネルや軽量気泡コンクリートパネルが取り付けられた構造や、鉄筋コンクリート造とすることができる。
【００４０】
また、内壁５０には、人２００が出入り可能な開口５１が設けられ、開口５１に開閉可能な扉５２が設けられている。扉５２は、両引き扉や方開き扉等の一般的な建築物の扉を用いることができる。
【００４１】
次に、本発明の第２実施形態に係るあずま屋式津波シェルター１Ａの動作について説明する。
図６は、前記第２実施形態にあずま屋式津波シェルター１Ａにおいて、隔離壁４０が最下部に配置された状態の断面図である。
あずま屋式津波シェルター１Ａは、平時においては、図５に示すとおり、隔離壁４０が上方に配置されている。
そして、津波が襲来するおそれがあるときに、人２００は、内壁５０の内側に入り、例えば、隔離壁４０の天井部４２１に取り付けられたロープやチェーン等を引っ張り、隔離壁４０を回転させて下方に移動させて、図６に示すように、最下部に配置する。
【００４２】
次に、本発明の第１実施形態の応用例に係るあずま屋式津波シェルター１Ｂについて説明する。
応用例に係るあずま屋式津波シェルター１Ｂは、第１実施形態に係るあずま屋式津波シェルター１の各構成の寸法を大きくし、あずま屋式津波シェルター１より多くの人を収容可能としたものである。
【００４３】
図７は、前記第１実施形態の応用例に係るあずま屋式津波シェルター１Ｂにおいて、隔離壁２０が最下部に配置された状態の断面図である。
あずま屋式津波シェルター１Ｂは、支柱１０の下部１１が、第１実施形態のあずま屋式津波シェルター１より長く形成され、より地中深く埋設されている。
また、あずま屋式津波シェルター１Ｂは、床板２３が高さ方向に複数段設けられている。
更に、床板２３の開口部２３１の下方には、人２００が上段の床板２３に登るための梯子２３２が設けられている。
これにより、多くの人が集まる、例えば、イベント会場等に、あずま屋式津波シェルター１Ｂを設けることで、あずま屋式津波シェルター１Ｂは、平時において大規模なテントとして機能し、津波が襲来したときには、より多くの人を津波から保護できる。
【００４４】
上記実施形態によれば、以下の作用効果を奏する。
あずま屋式津波シェルター１、１Ａ及び１Ｂによれば、内部空間に人が収容され、津波から当該人を保護する。
支柱１０は、下部１１が地盤１００に埋設され、上部１２が地盤１００から垂直に延び、隔離壁２０、４０は、下方が開放され、内部空間を形成し、上面視中心において支柱１０と上下に移動可能に係合する。
そして、隔離壁２０、４０は、水平断面形状が環状に形成され、支柱１０に沿って下方に移動し最下部に配置されたときに、下端が地盤１００に接する。
【００４５】
これにより、津波が襲来したときには、人は隔離壁２０、４０の内部空間に避難し、隔離壁２０、４０を下方に移動し最下部に配置させ地盤１００に接地させることで、支柱１０によって隔離壁２０、４０が地盤１００に固定され、海水が隔離壁２０、４０の内部に大量に流入することを防ぎ、津波を凌ぐことができる。よって、迅速に避難可能であり、津波から人を保護できる。
また、隔離壁２０、４０を水平断面形状が環状に形成したので、津波により押し寄せた海水の抵抗をスムースに流すことができるので、隔離壁が海水から受ける力を軽減できる。
【００４６】
更に、平時においては、隔離壁２０、４０を上方に移動させて、地盤１００から離れた位置に配置することで、隔離壁２０、４０を日光や雨を遮る屋根として利用できる。よって、あずま屋式津波シェルター１、１Ａ及び１Ｂを東屋やテントに準ずる物として利用できるので、例えば、隔離壁２０、４０の下の空間を休息所や、露店として利用できる。
したがって、迅速に避難可能であり、津波から人を保護できるとともに、平時において、新たな態様で利用できる津波シェルターを提供できる。
【００４７】
また、あずま屋式津波シェルター１、１Ａ及び１Ｂによれば、隔離壁２０、４０下端の内側側面がステージ３０の側縁と係合することで、津波が襲来したときに、隔離壁２０、４０下端から水が流入するのを、より効果的に抑えることができる。
【００４８】
また、あずま屋式津波シェルター１及び１Ｂによれば、あずま屋式津波シェルター１及び１Ｂの内部に避難した人は、開口部２３１から床板２３の上に上がることで、仮に、隔離壁２０の下端から水が侵入しても、濡れることがない。また、床板２３で隔離壁２０の内部空間を上下に仕切ることで、仮に、内部空間の下部に水が流入しても、上部の空気が隔離壁の外に流出するのを防止できる。
【００４９】
また、あずま屋式津波シェルター１Ａによれば、隔離壁４０を上方に配置した状態でも、内壁５０に囲まれ、出入り可能な空間を形成できるので、平時において、例えば、商品や貴重品が保管された店舗としてあずま屋式津波シェルター１Ａを利用できる。また、例えば、あずま屋式津波シェルター１Ａの内部に所有者がいない場合には、扉に鍵をかけることで、第三者の侵入を防止できるので、倉庫や金庫としてもあずま屋式津波シェルター１Ａを利用できる。
【００５０】
なお、本発明は前記実施形態に限定されるものではなく、本発明の目的を達成できる範囲での変形、改良等は本発明に含まれるものである。
【符号の説明】
【００５１】
１、１Ａ、１Ｂ  あずま屋式津波シェルター
１０    支柱
１１    下部
１２    上部
２０、４０  隔離壁
１００  地盤
【図１】
2014009466.tif 000003
【図２】
2014009466.tif 000004
【図３】
2014009466.tif 000005
【図４】
2014009466.tif 000006
【図５】
2014009466.tif 000007
【図６】
2014009466.tif 000008
【図７】
2014009466.tif 000009